(57)【要約】【課題】  建物の二重天井構造に関し、重量床衝撃音の遮断性能に優れた天井懐の狭い二重天井構造を提供することを課題とする。【解決手段】  天井スラブ２に埋設固定された吊りボルト４と、吊りボルトに螺着される第一のナット６と、一方の支持部２２の端部から他方の支持部２２の端部に至るループ状の抱持部２０とを有する野縁受け具８と、長尺状の野縁受け１０と、長尺状の野縁１２とを有し、野縁受け１０に、所定間隔をおいて抱持部２０を嵌めて野縁受け具８を装着し、これら野縁受け具８の両孔部２４，２４をそれぞれ吊りボルト４に嵌め、一対の支持部２２，２２を両ナット６，７で締結して、野縁受け具８とともに野縁受け１０を天井スラブ２の下方に取り付け、所定の間隔をおいて並設した野縁受け１０の下部に、野縁受けと交差する方向に所定間隔をおいて野縁１２を取り付け、野縁１２に天井ボード１４を張り付けた構成である。【選択図】  図１
2010106525.tif 000002
【特許請求の範囲】
【請求項１】
天井スラブに所定の間隔をおいて上部が埋設固定された吊りボルトと、上記吊りボルトに螺着される第一のナットと、中央に孔部が設けられた一対の支持部、及びこの内の一方の支持部の端部からこの支持部と重合可能な他方の支持部の端部に至るループ状の抱持部を有する野縁受け具と、長尺状の野縁受けと、長尺状の野縁とを有し、
上記野縁受けに、所定間隔をおいて上記抱持部を嵌めて上記野縁受け具を装着し、
これら野縁受け具の上記両孔部をそれぞれ上記吊りボルトに嵌め、下方から第二のナットを用いて上記一対の支持部を上記両ナットで締結して、上記野縁受け具とともに上記野縁受けを天井スラブの下方に取り付け、
所定の間隔をおいて並設した上記野縁受けの下部に、上記野縁受けと交差する方向に所定間隔をおいて上記野縁を取り付け、
上記野縁に天井ボードを張り付けたことを特徴とする二重天井構造。
【請求項２】
上記天井スラブと上記天井ボードの上面との空間間隔を５０ｍｍ以内としたことを特徴とする請求項１記載の二重天井構造。
【請求項３】
保持部の両端からそれぞれ立上がる側面部の上部に、それぞれ横向きに凹状の掛着部が形成されたクリップを用い、
上記野縁受けと交差して配置された上記野縁の下方を、上記クリップの保持部で保持するとともに、このクリップの上記掛着部をそれぞれ上記野縁受けに掛着して、上記野縁受けに上記野縁を取り付けたことを特徴とする請求項１又は２記載の二重天井構造。
【発明の詳細な説明】
【技術分野】
【０００１】
本発明は、建物の二重天井構造に関する。
【背景技術】
【０００２】
通常、マンション等に施工される二重天井構造は、天井スラブと天井材との間の天井懐の天井空気層を１００〜１５０ｍｍ程度の範囲で施工する場合が多い。このような天井懐の二重天井では、天井空気層と天井面材（石膏ボード）との関係により床衝撃音の共振現象が見られる。
【０００３】
図６は、上記共振現象に関する社内試験結果（実測値）を示したものであり、天井空気層と天井面材（石膏ボード）による重量床衝撃音低減性能について、天井空気層と天井面材（石膏ボード）による共振周波数の関係が表されている。この関係からすれば、天井面材に石膏ボードを使用することを前提にした場合、特に日常の生活で発生する６３Ｈｚ近傍の重量床衝撃音に関して、上記共振現象を引き起こさないためには、天井空気層を３００ｍｍ以上に広げる方法、或いは天井空気層を５０ｍｍ以内に狭くする方法の２通りが考えられる。
前者の方法では居室スペースの確保が問題となるため、後者の天井空気層を５０ｍｍ以内に狭くする方法が居室スペースの広さから有効である。
【０００４】
ここで、天井懐の狭い二重天井構造に関連するものとして、例えば特許文献１には天井下地材用ハンガー装置が開示されている。これは図７に示されるように、天井スラブに埋設された支持ボルト５４と、この支持ボルト５４に対してナット５５により締め付け固定される支持板部５６，５６と、この支持板部５６の先端に一体に延設され且つチャンネル材５２を抱持する断面略コ字状の抱持部５７，５７からなる一対のハンガー５８，５８とによって構成し、抱持部５７，５７でチャンネル材５２を抱持した状態で、ハンガー５８の支持板部５６を支持ボルト５４で支持し、天井下地材５０の支持が行えるようにしたものである。
【０００５】
上記ハンガー装置は、天井下地材５０として金属製四角筒５１とこれに貫通されたフレ止め用のチャンネル材５２を上記一対のハンガー５８，５８で支持することができるため、天井懐が少ないものにも対応できることとなり、マンション等に適用した場合、コストダウンに寄与するというものである。
【０００６】
また、特許文献２に示される天井施工用のユニットを用いた天井施工方法は、天井壁に取り付けられた吊りボルトにランナー受け金具を取り付け、これにランナーを取り付け、さらにランナー間にスタッドを架け渡して天井下地材を形成するものであり、従来の方法よりも低懐の天井の施工が可能であるというものである。
また、特許文献３には、天井スラブと天井板との間の空気層の間隔を２５ｍｍから３００ｍｍの範囲内とし、低音域における遮音性能を防止する二重天井構造が開示されている。
【０００７】
【特許文献１】特開２００１−２００６０９号公報
【特許文献２】特許第３８８１８７５号公報
【特許文献３】特開２００７−１７７４０８号公報
【発明の開示】
【発明が解決しようとする課題】
【０００８】
さて、従来の天井懐が１００〜１５０ｍｍの二重天井構造では、上記社内試験結果より共振現象が６３Ｈｚ帯域で起こり重量床衝撃音遮断性能の悪化を引き起こすという問題があった。
これに対しては、上述したように天井懐を５０ｍｍ以下の二重天井構造を採用することで対処可能であるが、上記天井懐の狭い特許文献１の天井下地材用ハンガー装置は、一対のハンガーの抱持部でチャンネル材を抱持する構成であるため、チャンネル材に対して各ハンガーをバランスよく抱持させる必要上、作業がやりづらく、又部品点数も多くなるという問題がある。そして、金属製四角筒にチャンネル材を貫通させておいたものを組んだ後、ハンガー装置に取り付けることになるため、作業性が非常に悪いという問題がある。
また、特許文献２の施工方法は、ランナー受け金具の形状が複雑な上に、高さ調節が行えないため天井壁の不陸に十分対応できないという問題がある。
【０００９】
本発明は、上記問題点に鑑みてなされたものであり、重量床衝撃音の遮断性能に優れた天井懐の狭い二重天井構造を提供することを目的としている。
【課題を解決するための手段】
【００１０】
以上の技術的課題を解決するため、本発明に係る二重天井構造は、図１〜３に示すように、天井スラブ２に所定の間隔をおいて上部が埋設固定された吊りボルト４と、上記吊りボルトに螺着される第一のナット６と、中央に孔部２４，２４が設けられた一対の支持部２２，２２と、この内の一方の支持部２２の端部からこの支持部と重合可能な他方の支持部２２の端部に至るループ状の抱持部２０とを有する野縁受け具８と、長尺状の野縁受け１０と、長尺状の野縁１２とを有し、上記野縁受け１０に、所定間隔をおいて上記抱持部２０を嵌めて上記野縁受け具８を装着し、これら野縁受け具８の上記両孔部２４，２４をそれぞれ上記吊りボルト４に嵌め、下方から第二のナット７を用いて上記一対の支持部２２，２２を上記両ナット６，７で締結して、上記野縁受け具８とともに上記野縁受け１０を天井スラブ２の下方に取り付け、所定の間隔をおいて並設した上記野縁受け１０の下部に、上記野縁受けと交差する方向に所定間隔をおいて上記野縁１２を取り付け、上記野縁１２に天井ボード１４を張り付けた構成である。
【００１１】
また、本発明に係る二重天井構造は、上記天井スラブ２と上記天井ボード１４の上面との空間間隔を５０ｍｍ以内とした構成である。
【００１２】
また、本発明に係る二重天井構造は、保持部３０の両端からそれぞれ立上がる側面部の上部に、それぞれ横向きに凹状の掛着部３４，３４が形成されたクリップ１８を用い、上記野縁受け１０と交差して配置された上記野縁１２の下方を、上記クリップ１８の保持部３０で保持するとともに、このクリップ１８の上記掛着部３４，３４をそれぞれ上記野縁受け１０に掛着して、上記野縁受け１０に上記野縁１２を取り付けた構成である。
【発明の効果】
【００１３】
本発明に係る二重天井構造によれば、野縁受けに野縁受け具を装着し、これら野縁受け具の両孔部をそれぞれ吊りボルトに嵌め、一対の支持部を両ナットで締結して、野縁受け具とともに野縁受けを天井スラブの下方に取り付け、野縁受けと交差する方向に野縁を取り付け、野縁に天井ボードを張り付けた構成を採用したから、野縁受け具の位置を調節することにより野縁受けを天井スラブの近傍まで近づけることができ、このため天井空気層５０ｍｍ以下とすることが可能となり重量床衝撃音による振動が防止でき、加えて広い居住空間を確保することができ、また高さ調節が容易に行なえ、施工も簡単で施工性にも優れるとともに、野縁受け具はループ形状の抱持部に野縁受けを抱え込む形態であるから、野縁受けが確実に固定できて、地震等の揺れ、振動によっても野縁受けが外れることはなく耐震性にも優れるという効果を奏する。
【００１４】
本発明に係る二重天井構造によれば、野縁の下方をクリップの保持部で保持するとともに、クリップの掛着部を野縁受けに掛着して野縁受けに野縁を取り付けた構成を採用したから、野縁受け具に簡単かつ迅速に野縁が取り付けられ施工が容易であるという効果がある。
【発明を実施するための最良の形態】
【００１５】
以下、本発明の実施の形態に係る二重天井構造を図面に基づいて説明する。この二重天井構造は、集合住宅或いはオフィスビル等に適用可能である。
図１は、上記二重天井構造の一部を示すものである。この二重天井構造は、天井スラブ２に固定される吊りボルト４、第一のナット６、第二のナット７、野縁受け具８、野縁受け１０、野縁１２及び天井ボード１４を有する構成である。また、上記吊りボルト４を天井スラブ２に埋設固定するためにアンカー１６を用いる。上記野縁１２は、クリップ１８を用いて野縁受け１０に取り付ける。
【００１６】
上記吊りボルト４は、鋼製の軸体に螺子溝が刻設されたものである。上記第一及び第二のナット６，７は六角ナットである。
上記野縁受け具８は、長方形の鋼板を屈曲成形したものであり、一対の重合可能な支持部２２，２２及び、この内の一方の支持部２２の端部からこれと重なる他方の支持部２２の端部に至る矩形ループ状の抱持部２０を有する。
【００１７】
上記野縁受け具８の抱持部２０は断面が矩形状であり、この抱持部２０の長辺側の中央から上記両支持部２２，２２が外向き直角に屈曲形成され、両支持部２２，２２は軽く重合した形状である。各支持部２２，２２は平坦であり中央部にはそれぞれ孔部２４，２４が設けられており、また抱持部２０の他の長辺側部位の中央にはビス孔２６が設けられている。
【００１８】
上記野縁受け１０は、上板部、側板部及び下板部からなる断面略Ｃ字状の長尺鋼材である。この野縁受け１０の外形の縦横寸法は、上記野縁受け具８の矩形ループ状の抱持部２０の内形の縦横寸法と略同じであり、上記両支持部２２，２２同士を重合させると野縁受け１０は抱持部２０内に略隙間なく内嵌する。
上記野縁１２は、軽量鋼板を断面ロ字状に屈曲成形し、端部同士をかしめて接合した長尺材である。
【００１９】
上記天井ボード１４は、石膏ボードであり板厚は例えば９．５ｍｍ、或いは１２．５ｍｍのものを使用する。アンカー１６は、鋼製の筒状部材であり内周面には螺子溝が刻設されており、天井スラブ２に打ち込み埋設して用いる。
【００２０】
さて、上記二重天井の施工に際しては、先ず天井スラブ２に上記吊りボルト４の上部を埋設固定する。ここでは、天井スラブ２の該当箇所にドリル等を用いて穴を開け、この穴にアンカー１６を打ち込む。そして、予め第一のナット６を螺着した吊りボルト４を上記アンカー１６の中央の螺子穴にねじ込み、さらに吊りボルト４を打ち込んでアンカー１６とともに天井スラブ２に埋設固定する。
【００２１】
次に、図２に示すように野縁受け１０に野縁受け具８の抱持部２０を挿通させる状態で、この野縁受け１０に複数個の野縁受け具８を嵌める。この野縁受け具８は、支持部２２，２２同士の間隔を少し開いておくと抱持部２０に遊びができて野縁受け１０に楽に嵌入できる。
【００２２】
そして、図３に示すように、上記天井スラブ２に固定した吊りボルト４の下部に、上記野縁受け１０とともにこれに取り付けた野縁受け具８を配置し、その支持部２２の孔部２４を吊りボルト４に嵌め、かつ下から第二のナット７を締結する。これと同様にして、野縁受け１０に取り付けた全ての野縁受け具８をそれぞれ所定の吊りボルト４に固定する。
【００２３】
こうして、天井スラブ２の下方に野縁受け具８とともに野縁受け１０を固定する。このとき、吊りボルト４に対する野縁受け具８の取り付け高さ位置を第一及び第二のナット６，７により適宜加減し、野縁受け１０が所定の高さにおいて水平になるよう高さ調整を行なう。
また、各野縁受け具８について、抱持部２０に設けたビス孔２６にビス２８を螺合して野縁受け１０を抱持部２０に固定する。野縁受け１０は、天井スラブ２に一定間隔をおいて互いに平行に取り付ける。
【００２４】
次に図４に示すように、上記野縁受け１０の下部に、野縁受け１０と直交する方向に野縁１２を並設固定する。また、上記野縁１２の端部側には、天井スラブ２の両端部にそれぞれランナー４０を固定する。上記ランナー４０は、断面略コ字状の鋼製の長尺材である。各ランナー４０はそれぞれ、天井スラブ２近傍の壁スラブなどに止着具を用いて固定する。そして、野縁１２の両端部をそれぞれランナー４０の溝部に差し込み、野縁１２の各端部はビス等を用いてランナー４０に止着する。
【００２５】
このように野縁１２を上記ランナー４０間に架設し、野縁１２の中間部はクリップ１８を用いて上記野縁受け１０に固定する。
上記クリップ１８は鋼板を屈曲成形したものであり、平坦な保持部３０の両端からそれぞれ立設する側面部３２，３２の上部に、それぞれ横向きに凹状の掛着部３４，３４が形成された形状である。また、上記掛着部３４，３４の上部には水平な押え板３６，３６が形成されている。
【００２６】
そして、上記野縁１２の中間部の上記野縁受け１０と交差する箇所において、野縁１２の下部をクリップ１８の保持部３０で支持し、このクリップ１８の掛着部３４，３４を野縁受け１０の上板部に引っ掛け、同時にこの野縁受け１０の上板部から突出する押え板３６，３６の端部を上板部の下部側にＵ字に折り曲げ、外れないように固定する。
【００２７】
上記野縁１２は、隣り合う野縁１２同士を一定間隔をおいて平行に配設する。野縁１２の取り付けが終了すると、各野縁１２の下部に天井ボード１４を張り付けて敷設し二重天井構造の天井を仕上げる。
【００２８】
図５は、上記二重天井構造の断面を示したものである。この二重天井構造の基本構成は、野縁受け１０、野縁１２及び天井ボード１４からなり、野縁受け具８を支持する吊りボルト４の第一及び第二のナット６，７の位置を調節することにより、野縁受け具８が保持する野縁受け１０の配置位置を天井スラブ２に近接する位置まで近づけることができる。このため、天井懐となる天井空気層（天井スラブ２面から天井ボード１４の上面までの空間間隔）を５０ｍｍ以下とすることが可能となり、重量床衝撃音の決定周波数である６３Ｈｚ近傍の帯域における共振現象の発生が防止でき、重量衝撃音の振動防止に寄与する。
【００２９】
従って、上記実施の形態によれば、野縁受け１０を天井スラブの近傍まで近づけることができ、このため天井ボード１４を配置したときの上記天井空気層を５０ｍｍ以下とすることができて重量床衝撃音による振動が防止でき、加えて広い居住空間を確保することができる。また、野縁受け具８はループ形状の抱持部に野縁受けを抱え込む形態であるから、野縁受け１０を野縁受け具８に確実に抱持固定することができ、地震等の揺れ、振動によっても野縁受けが外れることはなく耐震性にも優れ、また野縁受け１０及び野縁１２等の取り付けが簡単で施工も容易に行なえる。
【図面の簡単な説明】
【００３０】
【図１】本発明の実施の形態に係る二重天井構造の部分断面を示す図である。
【図２】実施の形態に係り、野縁受けに野縁受け具を装着する状態を示す図である。
【図３】実施の形態に係り、吊りボルトに野縁受け具とともに野縁受けを取り付ける状態を示す図である。
【図４】実施の形態に係り、野縁受けに野縁を取り付ける状態を示す図である。
【図５】実施の形態に係る二重天井構造の断面を示す図である。
【図６】天井空気層と天井面材（石膏ボード）による重量床衝撃音低減性能の実測値を示すものである。
【図７】従来例に係る天井下地材用ハンガー装置を示す図である。
【符号の説明】
【００３１】
２  天井スラブ
４  吊りボルト
６  第一のナット
７  第二のナット
８  野縁受け具
１０  野縁受け
１２  野縁
１４  天井ボード
１８  クリップ
２０  抱持部
２２  支持部
２４  孔部
３０  保持部
３４  掛着部
【図１】
2010106525.tif 000003
【図２】
2010106525.tif 000004
【図３】
2010106525.tif 000005
【図４】
2010106525.tif 000006
【図５】
2010106525.tif 000007
【図６】
2010106525.tif 000008
【図７】
2010106525.tif 000009